【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
座標入力有効領域に対する指示具による指示位置を計算する座標入力装置であって、
前記座標入力有効領域の角部に設けられた受光手段と、
前記座標入力有効領域の角部に設けられた複数の投光手段と、
前記座標入力有効領域の周辺部に設けられ、入射光を再帰的に反射する反射手段と、
前記受光手段と前記複数の投光手段の駆動を制御する制御手段と、
前記指示具で前記座標入力有効領域を指示した際に、前記受光手段より得られる光量分布に基づいて前記座標入力有効領域の前記指示位置を計算する計算手段とを有し、
前記座標入力有効領域に対して垂直方向について、前記複数の投光手段は、前記受光手段から所定距離離して配置され、
前記座標入力有効領域に対して水平方向について、前記複数の投光手段の内、基準となる投光手段は、その投光位置が前記受光手段の光軸と一致した位置に配置され、残りの複数の投光手段は、前記受光手段の光軸に対して線対称となる位置に配置され、
前記制御手段は、前記受光手段の駆動タイミングに同期して前記複数の投光手段を駆動させ、
前記計算手段は、前記受光手段より得られる前記光量分布を閾値と比較することにより検出した遮光部分の中心位置が前記閾値を変更することにより所定の値以上の変化をしないように設定した閾値により検出した遮光部分の中心位置に基づいて、前記指示位置を計算する
ことを特徴とする座標入力装置。
【請求項２】
複数の閾値を記憶する記憶手段を更に有し、
前記制御手段は、
前記光量分布に対して前記複数の閾値それぞれで横切る点に対応する前記遮光部分の立ち上がり部と立ち下がり部とが、両者の間の中心位置に対して対称性が保たれるか否かを判定する判定手段と、
前記判定手段の判定の結果に基づき、前記対称性が保たれる最も大きな閾値を前記複数の閾値から設定する設定手段とを有し、
前記計算手段は、前記光量分布に対して前記設定手段で設定した前記閾値で横切る点に対応する前記遮光部分の立ち上がり部と立ち下がり部との間の中心位置に対応する画素番号に基づいて、前記指示位置を計算する
ことを特徴とする請求項１に記載の座標入力装置。
【請求項３】
前記判定手段は、前記光量分布に対して前記閾値で横切る点に前記遮光部分の立ち上がり部と立ち下がり部それぞれに対応する画素の前後の所定数画素による微分値に基づいて、前記対称性が保たれるか否かを判定する
ことを特徴とする請求項２に記載の座標入力装置。
【請求項４】
複数の閾値を記憶する記憶手段を更に有し、
前記制御手段は、
前記光量分布に対して前記複数の閾値それぞれで横切る点に対応する前記遮光部分の立ち上がり部と立ち下がり部の間の中心位置に対応する画素番号の間の変動値から、所定の差分値を超える場合の閾値を前記複数の閾値から設定する設定手段とを有し、
前記計算手段は、前記光量分布に対して前記設定手段で設定した前記閾値で横切る点に対応する前記遮光部分の立ち上がり部と立ち下がり部との間の中心位置に対応する画素番号に基づいて、前記指示位置を計算する
ことを特徴とする請求項１に記載の座標入力装置。
【請求項５】
前記受光手段は、第１及び第２の受光手段を有し、
前記座標入力有効領域に対して垂直方向について、前記複数の投光手段は、前記第１及び第２の受光手段から所定距離離して配置され、
前記座標入力有効領域に対して水平方向について、前記複数の投光手段は、前記第１及び第２の受光手段のそれぞれの光軸に対して線対称となる位置に配置され、
前記制御手段は、前記第１及び第２の受光手段のそれぞれの光軸に対して線対称となる位置に配置される複数の投光手段を、対応する受光手段の駆動タイミングに同期して駆動させる
ことを特徴とする請求項１に記載の座標入力装置。
【請求項６】
前記制御手段は、前記複数の投光手段の内の一部の投光手段を、前記第１及び第２の受光手段のいずれの駆動タイミングにも同期して駆動させる
ことを特徴とする請求項５に記載の座標入力装置。
【請求項７】
座標入力有効領域に対する指示具による指示位置を計算する座標入力装置として、前記座標入力有効領域の角部に設けられた受光部と、前記座標入力有効領域の角部に設けられた複数の投光部と、前記座標入力有効領域の周辺部に設けられ、入射光を再帰的に反射する反射部とを有し、前記座標入力有効領域に対して垂直方向について、前記複数の投光部は、前記受光部から所定距離離して配置され、前記座標入力有効領域に対して水平方向について、前記複数の投光部の内、基準となる投光部は、その投光位置が前記受光部の光軸と一致した位置に配置され、残りの複数の投光部は、前記受光部の光軸に対して線対称となる位置に配置される座標入力装置の制御方法であって、
前記受光部と前記複数の投光部の駆動を制御する制御工程と、
前記指示具で前記座標入力有効領域を指示した際に、前記受光部より得られる光量分布に基づいて前記座標入力有効領域の前記指示位置を計算する計算工程とを有し、
前記制御工程は、前記受光部の駆動タイミングに同期して前記複数の投光部を駆動させ、
前記計算工程は、前記受光部より得られる前記光量分布を閾値と比較することにより検出した遮光部分の中心位置が前記閾値を変更することにより所定の値以上の変化をしないように設定した閾値により検出した遮光部分の中心位置に基づいて、前記指示位置を計算する
ことを特徴とする座標入力装置の制御方法。
【請求項８】
座標入力有効領域に対する指示具による指示位置を計算する座標入力装置として、前記座標入力有効領域の角部に設けられた受光部と、前記座標入力有効領域の角部に設けられた複数の投光部と、前記座標入力有効領域の周辺部に設けられ、入射光を再帰的に反射する反射部とを有し、前記座標入力有効領域に対して垂直方向について、前記複数の投光部は、前記受光部から所定距離離して配置され、前記座標入力有効領域に対して水平方向について、前記複数の投光部の内、基準となる投光部は、その投光位置が前記受光部の光軸と一致した位置に配置され、残りの複数の投光部は、前記受光部の光軸に対して線対称となる位置に配置される座標入力装置の制御をコンピュータに機能させるためのプログラムであって、
前記コンピュータを、
前記受光部と前記複数の投光部の駆動を制御する制御手段と、
前記指示具で前記座標入力有効領域を指示した際に、前記受光部より得られる光量分布に基づいて前記座標入力有効領域の前記指示位置を計算する計算手段として機能させ、
前記制御手段は、前記受光部の駆動タイミングに同期して前記複数の投光部を駆動させ、
前記計算手段は、前記受光部より得られる前記光量分布を閾値と比較することにより検出した遮光部分の中心位置が前記閾値を変更することにより所定の値以上の変化をしないように設定した閾値により検出した遮光部分の中心位置に基づいて、前記指示位置を計算する
ことを特徴とするプログラム。
【手続補正２】
【補正対象書類名】明細書
【補正対象項目名】００１３
【補正方法】変更
【補正の内容】
【００１３】
上記の目的を達成するための本発明による座標入力装置は以下の構成を備える。即ち、
座標入力有効領域に対する指示具による指示位置を計算する座標入力装置であって、
前記座標入力有効領域の角部に設けられた受光手段と、
前記座標入力有効領域の角部に設けられた複数の投光手段と、
前記座標入力有効領域の周辺部に設けられ、入射光を再帰的に反射する反射手段と、
前記受光手段と前記複数の投光手段の駆動を制御する制御手段と、
前記指示具で前記座標入力有効領域を指示した際に、前記受光手段より得られる光量分布に基づいて前記座標入力有効領域の前記指示位置を計算する計算手段とを有し、
前記座標入力有効領域に対して垂直方向について、前記複数の投光手段は、前記受光手段から所定距離離して配置され、
前記座標入力有効領域に対して水平方向について、前記複数の投光手段の内、基準となる投光手段は、その投光位置が前記受光手段の光軸と一致した位置に配置され、残りの複数の投光手段は、前記受光手段の光軸に対して線対称となる位置に配置され、
前記制御手段は、前記受光手段の駆動タイミングに同期して前記複数の投光手段を駆動させ、
前記計算手段は、前記受光手段より得られる前記光量分布を閾値と比較することにより検出した遮光部分の中心位置が前記閾値を変更することにより所定の値以上の変化をしないように設定した閾値により検出した遮光部分の中心位置に基づいて、前記指示位置を計算する。